(57)【特許請求の範囲】
【請求項１】
表示対象となる表示対象情報が表示されている画面に対する、前記表示対象情報内の前記画面に拡大表示される部分が変化する規則の指定であって、利用者が前記画面をなぞることにより指定される前記表示対象情報上の線上の点の指定を予め定められた時間間隔で取得する指定取得手段と、
前記規則を示す規則情報を、記憶手段に出力する規則情報出力手段と、
前記表示対象情報の一部を前記画面に前記指定された線上の点を中心に予め定められた拡大率で拡大表示し、利用者から順次受け付ける表示内容更新操作に応じて、前記規則情報が示す規則に従って、前記表示対象情報内の前記画面に拡大表示される部分が順次変化するよう前記画面に表示される内容を更新する表示内容更新手段と、
を含むことを特徴とする情報処理装置。
【請求項２】
前記指定取得手段が、取得される順序により順序づけられた複数の前記点の指定を予め定められた時間間隔で取得し、
前記表示内容更新手段が、前記点の取得順序に従って、前記表示対象情報内の前記画面に拡大表示される部分が順次変化するよう前記画面に表示される内容を更新する、
ことを特徴とする請求項１に記載の情報処理装置。
【請求項３】
前記表示対象情報が複数頁から構成される文書情報のうちの１つの頁に対応しており、
前記表示内容更新手段が、前記文書情報の各頁について、前記規則情報が示す規則に従って、前記表示対象情報内の前記画面に拡大表示される部分が順次変化するよう前記画面に表示される内容を更新する、
ことを特徴とする請求項１又は２に記載の情報処理装置。
【請求項４】
前記規則情報出力手段が、前記表示対象情報内の前記画面に拡大表示される部分の変化の終端となる位置を示す情報を含む前記規則情報を前記記憶手段に出力し、
前記表示内容更新手段が、前記終端に対応する前記表示対象情報内の部分が前記画面に拡大表示されている際に前記表示内容更新操作を受け付けた場合には、前記画面に表示される内容を更新しない、
ことを特徴とする請求項１から３のいずれか一項に記載の情報処理装置。
【請求項５】
前記表示内容更新手段が、利用者から受け付ける拡大表示操作に応じて、利用者により指定される拡大率で前記表示対象情報内の部分が前記画面に拡大表示されるよう前記画面に表示される内容を更新する、
ことを特徴とする請求項１から４のいずれか一項に記載の情報処理装置。
【請求項６】
表示対象となる表示対象情報が表示されている画面に対する、前記表示対象情報内の前記画面に拡大表示される部分が変化する規則の指定であって、利用者が前記画面をなぞることにより指定される前記表示対象情報上の線上の点を示す情報を予め定められた時間間隔で取得する指定受付手段、
前記規則を示す規則情報を、記憶手段に出力する規則情報出力手段、
前記表示対象情報の一部を前記画面に前記指定された線上の点を中心に予め定められた拡大率で拡大表示し、利用者から順次受け付ける表示内容更新操作に応じて、前記規則情報が示す規則に従って、前記表示対象情報内の前記画面に拡大表示される部分が順次変化するよう前記画面に表示される内容を更新する表示内容更新手段、
としてコンピュータを機能させることを特徴とするプログラム。
【発明の詳細な説明】
【技術分野】
【０００１】
本発明は、情報処理装置及びプログラムに関する。
【背景技術】
【０００２】
情報が見やすくなるように情報の一部を拡大して画面に表示する技術が存在する。特許文献１には、使用者が全体画像のうちの表示される部分を切替えることができる表示装置が記載されている。特許文献２には、電子情報の全体もしくはその一部を任意に切り替えて閲覧することができる情報閲覧装置が記載されている。
【先行技術文献】
【特許文献】
【０００３】
【特許文献１】特開２００７−０７２０６４号公報
【特許文献２】特開２００１−２４９７４６号公報
【発明の概要】
【発明が解決しようとする課題】
【０００４】
本発明は、情報の一部が画面に拡大表示されている状況で、拡大表示される部分を利用者が所望する規則に従って変化させることができる情報処理装置及びプログラムを提供することを目的とする。
【課題を解決するための手段】
【０００５】
請求項１に記載の発明は、情報処理装置であって、表示対象となる表示対象情報が表示されている画面に対する規則指定操作に応じ、前記表示対象情報内の前記画面に拡大表示される部分が変化する規則を示す規則情報を、記憶手段に出力する規則情報出力手段と、前記表示対象情報の一部が前記画面に拡大表示されている際に利用者から順次受け付ける表示内容更新操作に応じて、前記規則情報が示す規則に従って、前記表示対象情報内の前記画面に拡大表示される部分が順次変化するよう前記画面に表示される内容を更新する表示内容更新手段と、を含むこととしたものである。
【０００６】
請求項２に記載の発明は、請求項１に記載の情報処理装置であって、前記規則情報出力手段が、利用者が前記画面をなぞることにより指定される前記表示対象情報上の線に対応する前記規則情報を前記記憶手段に出力し、前記表示内容更新手段が、前記表示対象情報内の前記画面に拡大表示される部分が前記線に沿って変化するよう前記画面に表示される内容を更新することとしたものである。
【０００７】
請求項３に記載の発明は、請求項２に記載の情報処理装置であって、前記規則情報出力手段が、利用者が前記画面をなぞる際に予め定められた時間間隔で順次取得される情報が示す前記表示対象情報上の位置に対応する前記規則情報を前記記憶手段に出力し、前記表示内容更新手段が、前記位置の順序に従って、前記表示対象情報内の前記画面に拡大表示される部分が順次変化するよう前記画面に表示される内容を更新することとしたものである。
【０００８】
請求項４に記載の発明は、請求項１に記載の情報処理装置であって、前記規則情報出力手段が、順序づけられた複数の前記表示対象情報内の位置に対応する前記規則情報を前記記憶手段に出力し、前記表示内容更新手段が、前記位置の順序に従って、前記表示対象情報内の前記画面に拡大表示される部分が順次変化するよう前記画面に表示される内容を更新することとしたものである。
【０００９】
請求項５に記載の発明は、請求項１から４のいずれか一項に記載の情報処理装置であって、前記表示対象情報が複数頁から構成される文書情報のうちの１つの頁に対応しており、前記表示内容更新手段が、前記文書情報の各頁について、前記規則情報が示す規則に従って、前記表示対象情報内の前記画面に拡大表示される部分が順次変化するよう前記画面に表示される内容を更新することとしたものである。
【００１０】
請求項６に記載の発明は、請求項１から５のいずれか一項に記載の情報処理装置であって、前記規則情報出力手段が、前記表示対象情報内の前記画面に拡大表示される部分の変化の終端となる位置を示す情報を含む前記規則情報を前記記憶手段に出力し、前記表示内容更新手段が、前記終端に対応する前記表示対象情報内の部分が前記画面に拡大表示されている際に前記表示内容更新操作を受け付けた場合には、前記画面に表示される内容を更新しないこととしたものである。
【００１１】
請求項７に記載の発明は、請求項１から６のいずれか一項に記載の情報処理装置であって、前記表示内容更新手段が、利用者から受け付ける拡大表示操作に応じて、利用者により指定される拡大率で前記表示対象情報内の部分が前記画面に拡大表示されるよう前記画面に表示される内容を更新することとしたものである。
【００１２】
請求項８に記載の発明は、プログラムであって、表示対象となる表示対象情報が表示されている画面に対する規則指定操作に応じ、前記表示対象情報内の前記画面に拡大表示される部分が変化する規則を示す規則情報を、記憶手段に出力する規則情報出力手段、前記表示対象情報の一部が前記画面に拡大表示されている際に利用者から順次受け付ける表示内容更新操作に応じて、前記規則情報が示す規則に従って、前記表示対象情報内の前記画面に拡大表示される部分が順次変化するよう前記画面に表示される内容を更新する表示内容更新手段、としてコンピュータを機能させることとしたものである。
【発明の効果】
【００１３】
請求項１，８に記載の発明によれば、情報の一部が画面に拡大表示されている状況で、拡大表示される部分を利用者が所望する規則に従って変化させることができる。
【００１４】
請求項２に記載の発明によれば、画面をなぞる線の軌跡を拡大表示される部分を変化させる規則に反映させることができる。
【００１５】
請求項３に記載の発明によれば、利用者が画面をなぞる際の速度変化を拡大表示される部分を変化させる規則に反映させることができる。
【００１６】
請求項４に記載の発明によれば、利用者により指定された順序に従って、拡大表示される部分を変化させることができる。
【００１７】
請求項５に記載の発明によれば、１つの頁に対して利用者が指定した規則を他の頁に対しても適用することができる。
【００１８】
請求項６に記載の発明によれば、終端となる位置における表示内容更新操作に応じた画面の更新を抑制することができる。
【００１９】
請求項７に記載の発明によれば、利用者により指定された拡大率で表示対象情報を拡大表示させることができる。
【図面の簡単な説明】
【００２０】
【図１】本発明の一実施形態に係る情報処理装置のハードウェア構成の一例を示すハードウェア構成図である。
【図２】図１に例示する情報処理装置の外観の一例を示す外観図である。
【図３】本発明の一実施形態に係る情報処理装置により実現される機能の一例を示す機能ブロック図である。
【図４】文書情報の一例を示す図である。
【図５】本実施形態に係る情報処理装置で行われる処理の流れの一例を示すフロー図である。
【図６】規則指定操作を受け付ける様子の一例を示す図である。
【図７】文書情報の一例を示す図である。
【図８】本実施形態に係る情報処理装置で行われる処理の流れの一例を示すフロー図である。
【図９】領域Ｒ１がタッチパネルに拡大表示されている様子の一例を示す図である。
【図１０】文書情報の一例を示す図である。
【発明を実施するための形態】
【００２１】
以下、本発明の一実施形態について図面に基づき詳細に説明する。
【００２２】
図１は、本実施形態に係る情報処理装置１０のハードウェア構成の一例を示すハードウェア構成図である。図２は、図１に例示する情報処理装置１０の外観の一例を示す外観図である。図１及び図２に示すように、本実施形態に係る情報処理装置１０は、例えば、携帯情報端末であり、制御部１２、記憶部１４、ユーザインタフェース（ＵＩ）部１６、を含んでいる。これらの要素は、バスを介して接続される。制御部１２は、ＣＰＵなどのプログラム制御デバイスであり、情報処理装置１０にインストールされるプログラムに従って動作する。記憶部１４は、ＲＯＭやＲＡＭなどの記憶素子やハードディスクなどである。記憶部１４には、制御部１２によって実行されるプログラムなどが記憶される。また、記憶部１４は、制御部１２のワークメモリとしても動作する。ＵＩ部１６は、利用者が行った操作の内容を制御部１２に出力する。また、ＵＩ部１６は、制御部１２から入力される指示に従って情報を表示出力する。ＵＩ部１６は、本実施形態では、例えば、タッチパネル１８などの画面、及び、複数のボタン２０（上ボタン２０ａ、下ボタン２０ｂ、拡大ボタン２０ｃ、縮小ボタン２０ｄ、及び、決定ボタン２０ｅ）を含んで構成されている。本実施形態では、タッチパネル１８は、予め定められた時間間隔で、この検出面上における利用者の指やスタイラス等の物体の接触を順次検出する。また、タッチパネル１８は、物体の接触を検出した場合は、その物体の接触位置を検出する。
【００２３】
図３は、本実施形態に係る情報処理装置１０により実現される機能の一例を示す機能ブロック図である。図３に例示するように、本実施形態では、情報処理装置１０は、例えば、情報記憶部２２、操作受付部２４、表示内容更新部２６、規則情報生成部２８、規則情報出力部３０、を含んでいる。情報記憶部２２は記憶部１４を主として実現される。その他の要素は制御部１２を主として実現される。
【００２４】
これらの要素は、コンピュータである情報処理装置１０にインストールされたプログラムを、情報処理装置１０の制御部１２で実行することにより実現されている。このプログラムは、例えば、ＣＤ−ＲＯＭ、ＤＶＤ−ＲＯＭなどのコンピュータ可読な情報伝達媒体を介して、あるいは、インターネットなどの通信手段を介して情報処理装置１０に供給される。
【００２５】
情報記憶部２２は、タッチパネル１８などのＵＩ部１６に表示される対象となる表示対象情報を記憶する。情報記憶部２２は、本実施形態では、例えば、図４に例示する、一部が二段組となっている文書を示す文書情報３２を記憶する。
【００２６】
操作受付部２４は、タッチパネル１８やボタン２０などのＵＩ部１６に対する利用者の操作を受け付ける。表示内容更新部２６は、操作受付部２４が受け付ける操作に応じて、タッチパネル１８などの画面に表示されている内容を更新する。
【００２７】
表示内容更新部２６は、操作受付部２４が受け付ける操作に応じてタッチパネル１８などの画面に表示されている内容を更新する。表示内容更新部２６は、例えば、タッチパネル１８に表示されている文書情報３２が拡大（あるいは、縮小）して表示されるようタッチパネル１８の表示内容を更新したり、文書情報３２の一部が拡大されてタッチパネル１８に表示されている際に、タッチパネル１８に拡大表示される文書情報３２内の部分が変化するようタッチパネル１８の表示内容を更新したりする。
【００２８】
規則情報生成部２８は、表示内容更新部２６にタッチパネル１８に拡大表示される文書情報３２内の部分を変化させる規則を示す規則情報を生成する。
【００２９】
規則情報出力部３０は、規則情報生成部２８が生成する規則情報を情報記憶部２２に出力する。このように、本実施形態では、情報記憶部２２は、規則情報を記憶する。
【００３０】
ここで、本実施形態に係る情報処理装置１０で行われる規則情報の出力処理の一例を図５に示すフロー図を参照しながら説明する。なお、本処理例では、情報記憶部２２に、図４に例示する文書情報３２が記憶されており、タッチパネル１８に文書情報３２の全体が予め表示されていることとする。
【００３１】
まず、操作受付部２４が、上述の規則情報が示す規則を指定する規則指定操作を利用者から受け付ける（Ｓ１０１）。図６は、タッチパネル１８に文書情報３２の全体が表示されている状態で規則指定操作を受け付ける様子の一例を示す図である。本処理例では、例えば、タッチパネル１８の左上から、左下、右上を経由して、右下に至る線である指定線３４に沿って、スタイラス等の物体でタッチパネル１８をなぞる操作を利用者から受け付ける。ここで、本実施形態では、タッチパネル１８は、予め定められた時間間隔で、物体のタッチパネル１８内における接触位置を検出する。そして、操作受付部２４は、予め定められた時間間隔で、タッチパネル１８により検出される接触位置の情報を順次取得する。そして、操作受付部２４は、これらの接触位置に対応する、文書情報３２上における位置の座標値（Ｐ１、Ｐ２、・・・Ｐｎ）を順次特定する（図７参照）。操作受付部２４は、例えば、タッチパネル１８上における接触位置の座標値を予め定められた拡大率で拡大して、文書情報３２上における位置の座標値（Ｐ１、Ｐ２、・・・Ｐｎ）を算出する。図７は、規則指定操作により指定された指定線３４が対応付けられた文書情報３２の一例を示す図である。なお、本処理例では、利用者がタッチパネル１８への物体の接触を開始した位置の座標値がＰ１であり、利用者がタッチパネル１８への物体の接触を終了した位置（物体を離した位置）の座標値がＰｎに対応している。なお、操作受付部２４が、例えば、タッチパネル１８上における隣接する接触位置間の距離（例えば、距離の平均値）に基づいて、拡大率を決定するようにしてもよい。そして、操作受付部２４が、接触位置の座標値を、決定された拡大率で拡大して、文書情報３２上における位置の座標値（Ｐ１、Ｐ２、・・・Ｐｎ）を算出するようにしてもよい。
【００３２】
そして、規則情報生成部２８が、規則指定操作に応じた規則情報を生成する（Ｓ１０２）。本処理例では、Ｓ１０１に示す処理で特定された各座標値（Ｐ１、Ｐ２、・・・Ｐｎ）を、この座標値に対応付けられる順序（１、２、・・・ｎ）に関連付けた規則情報を生成する。そして、規則情報出力部３０が、Ｓ１０２に示す処理で生成された規則情報を情報記憶部２２に出力する（Ｓ１０３）。
【００３３】
このように、規則情報出力部３０は、例えば、利用者から受け付ける、文書情報３２が表示されている画面に対する規則指定操作に応じた、拡大表示される文書情報３２内の部分が変化する規則を示す規則情報を、情報記憶部２２に出力する。
【００３４】
次に、本実施形態に係る情報処理装置１０で行われる表示内容更新処理の一例を、図８に示すフロー図を参照しながら説明する。なお、本処理例では、上述のＳ１０１〜Ｓ１０４に示す処理で情報記憶部２２に出力された規則情報が、情報記憶部２２に予め記憶されていることとする。
【００３５】
まず、操作受付部２４が、拡大操作（本実施形態では、例えば、拡大ボタン２０ｃの押下操作）を利用者から受け付ける（Ｓ２０１）。すると、表示内容更新部２６が、規則情報に含まれる最初の順序（順序１）に関連付けられている座標値Ｐ１（指定線３４の始点に対応する文書情報３２内の位置の座標値Ｐ１）に対応する文書情報３２上の位置を中心とする領域Ｒ１がタッチパネル１８に拡大表示されるよう、予め定められた拡大率（あるいは、上述のようにして決定された拡大率）で文書情報３２を拡大表示する。このように、表示内容更新部２６は、タッチパネル１８の表示内容を更新する（Ｓ２０２）。図９は、領域Ｒ１がタッチパネル１８に拡大表示されている様子の一例を示す図である。
【００３６】
そして、操作受付部２４が、順方向表示内容更新操作（本実施形態では、例えば、下ボタン２０ｂの押下操作）を利用者から受け付ける（Ｓ２０３）。すると、表示内容更新部２６が、規則情報に含まれる、順序２に関連付けられている座標値Ｐ２に対応する文書情報３２上の位置を中心とする領域Ｒ２がタッチパネル１８に表示されるようタッチパネル１８の表示内容を更新する（Ｓ２０４）。
【００３７】
以下、操作受付部２４が、順方向表示内容更新操作を順次受け付ける度に、表示内容更新部２６が、規則情報に含まれる、次の順序（３、４、・・・ｎ）に関連付けられた座標値（Ｐ３、Ｐ４、・・・Ｐｎ）に対応する文書情報３２上の位置を中心とする領域（Ｒ３、Ｒ４、・・・Ｒｎ）がタッチパネル１８に表示されるようタッチパネル１８の表示内容を更新する。
【００３８】
このようにして、表示内容更新部２６は、文書情報３２の一部がタッチパネル１８に拡大表示されている際に、利用者から順次受け付ける表示内容更新操作に応じて、情報記憶部２２に記憶されている規則情報が示す規則（例えば、規則情報が示す位置の順序）に従って、拡大表示される文書情報３２内の部分が順次変化する（例えば、指定線３４に沿って順次変化する）ようタッチパネル１８に表示される内容を更新する。なお、表示内容更新部２６は、表示される内容の更新の前後で拡大表示される文書情報３２内の部分が一部重複するようタッチパネル１８に表示される内容を更新するようにしてもよい。
【００３９】
なお、操作受付部２４が、指定線３４の終端となる位置を示す座標値Ｐｎを中心とする領域Ｒｎがタッチパネル１８に拡大表示されている際に順方向表示内容更新操作を受け付けた場合は、表示内容更新部２６は、タッチパネル１８の表示内容を更新しないようにしてもよい。
【００４０】
なお、操作受付部２４は、逆方向表示部分変化操作（本実施形態では、例えば、上ボタン２０ａの押下操作）を利用者から順次受け付ける度に、規則情報に含まれる、前の順序の座標値に対応する文書情報３２内の位置がタッチパネル１８の中央に表示されるようタッチパネル１８の表示内容を更新する。
【００４１】
また、操作受付部２４が、縮小操作（本実施形態では、例えば、縮小ボタン２０ｄの押下操作）を利用者から受け付けると、タッチパネル１８に表示されている文書情報３２が予め定められた縮小率で縮小表示されるようタッチパネル１８の表示内容を更新する。
【００４２】
なお、本発明は上述の実施形態に限定されるものではない。
【００４３】
例えば、規則情報生成部２８が生成する規則情報は上述のものに限定されない。規則情報生成部２８は、上述の方法とは異なる方法で、指定線３４に沿った各点の座標値に対応する規則情報を生成するようにしてもよい。例えば、規則情報生成部２８は、指定線３４上を予め定められた間隔で区切った各点の座標値（Ｐ１、Ｐ２・・・Ｐｎ）を、指定線３４に沿った順序（１、２、・・・ｎ）に関連付けた規則情報を生成するようにしてもよい。
【００４４】
また、操作受付部２４が、例えば、タッチパネル１８をなぞる操作とは異なる規則指定操作を受け付けてもよい。例えば、図１０に示す文書情報３２のように、文書情報３２内において複数の領域（Ｒ１、Ｒ２、・・・Ｒｎ）が定義されていてもよい。このとき、図１０に示すように、互いに離れた領域（Ｒ３−１及びＲ３−２）を１つの領域（Ｒ３）として取り扱うようにしてもよい。そして、この場合に、操作受付部２４が、各領域内の位置に対応するタッチパネル１８上の位置を順次接触する接触操作を受け付けてもよい。そして、規則情報生成部２８が、各領域（Ｒ１、Ｒ２、・・・Ｒｎ）を、接触操作が行われた順序（１、２、・・・ｎ）に関連付けた規則情報を生成するようにしてもよい。そして、操作受付部２４が、拡大操作を利用者から受け付けた際に、表示内容更新部２６が、順序１に関連付けられている文書情報３２内の領域Ｒ１全体がタッチパネル１８に拡大表示されるよう文書情報３２を拡大表示するようにしてもよい。ここで、表示内容更新部２６が、領域Ｒ３をタッチパネル１８に拡大表示する際には、タッチパネル１８の上部に領域Ｒ３−１内の文書情報３２を表示し、タッチパネル１８の下部に領域Ｒ３−２内の文書情報３２を表示するようにしてもよい。
【００４５】
そして、操作受付部２４が、順方向表示内容更新操作を利用者から受け付ける度に、表示内容更新部２６が、規則情報に含まれる、次の順序（２、３、・・・ｎ）に関連付けられている領域（Ｒ２、Ｒ３・・・Ｒｎ）全体がタッチパネル１８に拡大表示されるよう、タッチパネル１８の表示内容を更新するようにしてもよい。
【００４６】
また、操作受付部２４が、拡大操作を受け付けるまでに、複数回のなぞる操作を受け付けて、拡大操作を受け付けた時点で、規則情報生成部２８が、複数の指定線３４に基づいて、規則情報を生成するようにしてもよい。
【００４７】
また、操作受付部２４が、拡大操作を受け付けるまでに、タッチパネル１８上の互いに異なる点を接触する操作を複数回受け付けて、拡大操作を受け付けた時点で、規則情報生成部２８が、例えば、１番目に受け付けた点の座標値から２番目に受け付けた点の座標値に至る直線、３番目に受け付けた点の座標値から４番目に受け付けた点の座標値に至る直線、・・・に対応する指定線３４を特定して、これらの指定線３４に基づいて、規則情報を生成するようにしてもよい。
【００４８】
また、指定線３４において、予め定められた角度よりも小さな角度（鋭い角度）で曲がった部分がある場合には、規則情報生成部２８が、その部分を規則情報の生成の対象から除外するようにしてもよい。
【００４９】
また、操作受付部２４が、予め、拡大操作を受け付ける度に、表示内容更新部２６が、予め定められた拡大率で順次文書情報３２を拡大表示するようにしてもよい。そして、操作受付部２４が決定操作（例えば、決定ボタン２０ｅの押下操作）を受け付けた際に、決定操作を受け付けた時点における文書情報３２の、タッチパネル１８全体に表示されている時点における文書情報３２に対する拡大率を示す拡大率情報を生成するようにしてもよい。そして、以後、操作受付部２４が、拡大操作を受け付けた場合には、表示内容更新部２６が、拡大率情報が示す拡大率で文書情報３２をタッチパネル１８に拡大表示するようにしてもよい。この場合、操作受付部２４は、例えば、拡大率情報に基づいて、文書情報３２上における位置の座標値（Ｐ１、Ｐ２、・・・Ｐｎ）や、領域（Ｒ１、Ｒ２、・・・Ｒｎ）の位置の座標値を再計算する。このようにして、表示内容更新部２６は、利用者により指定される拡大率で文書情報３２をタッチパネル１８に拡大表示するようにしてもよい。
【００５０】
また、予め、情報処理装置１０が、文書情報３２に対して文字認識処理等の画像処理を実行し、文字が配置されている文書情報３２内の領域を特定してもよい。そして、操作受付部２４が、拡大操作を受け付けた際に、表示内容更新部２６が、規則情報が示す座標値を中心とした、文字が配置されている文書情報３２内の領域をタッチパネル１８に拡大表示するようにしてもよい。例えば、表示内容更新部２６は、二段組の文書情報３２の一段の幅がタッチパネル１８の幅に対応するよう、文書情報３２をタッチパネル１８に拡大表示するようにしてもよい。
【００５１】
また、文書情報３２が複数頁から構成されていてもよい。そして、規則情報生成部２８が、いずれか１頁が表示されているタッチパネル１８に対する接触操作に基づいて規則情報を生成するようにしてもよい。そして、最後の順序ｎに関連付けられた座標値Ｐｎに対応する文書情報３２上の位置を中心とする領域Ｒｎがタッチパネル１８に表示されている状況で、操作受付部２４が、順方向表示内容更新操作を利用者から受け付けた際に、表示内容更新部２６が、次の頁の文書情報の最初の順序）（順序１）に関連付けられている文書情報３２内の領域Ｒ１全体がタッチパネル１８に拡大表示されるようタッチパネル１８の表示内容を更新してもよい。このように、表示内容更新部２６が、文書情報３２の各頁について、規則情報が示す規則に従って、拡大表示される文書情報３２内の部分が順次変化するようタッチパネル１８の表示内容を更新するようにしてもよい。
【００５２】
また、規則情報に含まれる座標値に対応する文書情報３２上の位置と、拡大表示の対象となる文書情報３２内の領域との位置関係は、上述の例には限定されない。例えば、表示内容更新部２６が、規則情報に含まれる座標値に対応する文書情報３２上の位置が左上端となる領域がタッチパネル１８に拡大表示されるよう、予め定められた拡大率で文書情報３２を拡大表示するようにしてもよい。
【００５３】
また、表示内容更新部２６が、タッチパネル１８の表示内容を更新する度に、文書情報３２が拡大表示される拡大率が変わるようにしてもよい。
【００５４】
また、操作受付部２４が、タッチパネル１８に文書情報３２が拡大表示されている際に受け付ける、タッチパネル１８の縦方向に沿って上から下へスタイラス等の物体をなぞる操作を順方向表示内容更新操作として受け付け、下から上へスタイラス等の物体をなぞる操作を順方向表示内容更新操作として受け付けてもよい。
【００５５】
また、本実施形態を、タッチパネル１８などの画面に表示される文書情報３２以外の情報一般に応用しても構わない。また、本実施形態を、携帯情報端末以外の情報処理装置に応用しても構わない。
【符号の説明】
【００５６】
１０  情報処理装置、１２  制御部、１４  記憶部、１６  ユーザインタフェース（ＵＩ）部、１８  タッチパネル、２０  ボタン、２０ａ  上ボタン、２０ｂ  下ボタン、２０ｃ  拡大ボタン、２０ｄ  縮小ボタン、２０ｅ  決定ボタン、２２  情報記憶部、２４  操作受付部、２６  表示内容更新部、２８  規則情報生成部、３０  規則情報出力部、３２  文書情報、３４  指定線。
【図１】
0005440222.tif 000002
【図２】
0005440222.tif 000003
【図３】
0005440222.tif 000004
【図４】
0005440222.tif 000005
【図５】
0005440222.tif 000006
【図６】
0005440222.tif 000007
【図７】
0005440222.tif 000008
【図８】
0005440222.tif 000009
【図９】
0005440222.tif 000010
【図１０】
0005440222.tif 000011